(57)【要約】      （修正有）【課題】携帯端末に対して広告を配信する広告主が配信ターゲットのユーザー属性を絞りこむこと、配信する広告を確実に閲覧させること、閲覧後、広告主のサーバへのアクセス率を向上する。【解決手段】広告主が広告を登録する広告登録手段と、登録された広告を管理する広告管理装置と、登録された広告データを配信する広告配信装置と、広告配信装置から通信を介して広告データを取得し、携帯端末に広告データを蓄積する広告データ蓄積装置と、携帯端末が省電力モードからアクティブモードに切り替わるタイミングで蓄積された広告データを再生する広告再生装置と、広告主のサーバへのアクセス有無を判断するために利用する経由装置と、経由装置を通過する回数のカウント装置と、経由したユーザーへのインセンティブ付与手段と、会員登録時に取得するユーザー属性及び発行する会員ＩＤなどを管理する会員管理装置を備える。【選択図】図１
2007159072.tif 000002
【特許請求の範囲】
【請求項１】
広告主が広告を登録する広告登録手段と、登録された広告を管理する広告管理装置と、登録された広告データを配信する広告配信装置と、広告配信装置から通信を介して広告データを取得し、携帯端末に広告データを蓄積する広告データ蓄積装置と、携帯端末が省電力モードからアクティブモードに切り替わるタイミングで蓄積された広告データを再生する広告再生装置と、広告主のサーバへのアクセス有無を判断するために利用する経由装置と、経由装置を通過する回数のカウント装置と、経由したユーザーへのインセンティブ付与手段と、ユーザーへのインセンティブ付与のため予めユーザーに会員登録させる会員登録手段と、会員登録時に取得するユーザー属性及び発行する会員ＩＤなどを管理する会員管理装置を備えることを特徴とするシステム
【請求項２】
前記広告登録手段は、通信手段を有する端末を利用して前記会員管理装置で管理される属性を選択可能な登録手段
【請求項３】
前記広告再生装置は、広告データの再生終了を判断し携帯端末のメモリーに保持される再生回数をインクリメントする装置
【請求項４】
前記広告再生装置は、広告主のサーバーに対してのアクセス要求を判断し携帯端末のメモリーに保持されるアクセス要求回数をインクリメントする装置
【請求項５】
前記広告再生装置は、請求項３及び請求項４で保持されるインクリメントされた各々の回数に応じて再生する広告データの優先順位を決定し抽出、再生する装置
【請求項６】
前記経由装置は、広告主のサーバーにアクセスする前に経由しアクセス要求元のユーザーとアクセス先の広告主を判断しアクセス元のユーザーにインセンティブ付与する手段を有する装置
【請求項７】
前記会員管理装置は、会員登録時に取得するユーザー属性の項目を自由に設定できる装置
【発明の詳細な説明】
【技術分野】
【０００１】本発明は、通信機能を有する携帯端末に対しての広告配信及びインセンティブ付与システムに関するものである
【背景技術】
【０００２】従来、通信機能を有する携帯端末にて接続可能なサイト上に広告となる画像やテキストをリンクとして表示し広告主のサーバにアクセスさせる広告手法は存在する。【０００３】また、メール配信の会員に対して送付するメールを利用しメール本文中に広告テキスト及び広告主のサーバのＵＲＬを表示し広告主のサーバにアクセスさせる広告手法は存在する。【０００４】また、上記既存の広告手法において、広告主のサーバにアクセスした場合に対してユーザにポイントなどのインセンティブを付与し広告の宣伝効果を高める手法が取られている。
【発明の開示】
【発明が解決しようとする課題】
【０００５】しかしながら従来のシステムでは、ユーザーに広告を閲覧させる為には、ＷＥＢサイトにアクセスさせる必要がありＷＥＢサイトにアクセスされない限り広告を閲覧されないという問題があった。【０００６】また、上記に加え、ＷＥＢサイト上に広告を配信する広告主は、広告配信対象者をＷＥＢサイト閲覧者とするため、実際に広告を閲覧するユーザーの属性が広告配信ターゲット属性と差異が発生する問題があった。【０００７】また、配信するターゲットのユーザー属性を絞り込むことが可能な手法としてメールマガジンによる広告配信の形式が取られるが、配信ターゲット属性の会員を多く所有するメールマガジンを探す必要があるという問題があった。【０００８】本発明の課題は、通信機能を有する携帯端末に対して広告を配信する広告主が配信ターゲットのユーザー属性を絞りこむことであり、配信する広告を確実に閲覧させることであり、閲覧後、広告主のサーバへのアクセス率を向上することであり、広告主のサーバにアクセスする人数を増加させることである。
【課題を解決するための手段】
【０００９】上記の問題を解決するため本発明では、広告主が広告を登録する広告登録手段と、登録された広告を管理する広告管理装置と、登録された広告データを配信する広告配信装置と、広告配信装置から通信を介して広告データを取得し、携帯端末に広告データを蓄積する広告データ蓄積装置と、携帯端末が省電力モードからアクティブモードに切り替わるタイミングで蓄積された広告データを再生する広告再生装置と、広告主のサーバへのアクセス有無を判断するために利用する経由装置と、経由装置を通過する回数のカウント装置と、経由したユーザーへのインセンティブ付与手段と、ユーザーへのインセンティブ付与のため予めユーザーに会員登録させる会員登録手段と、会員登録時に取得するユーザー属性及び発行する会員ＩＤなどを管理する会員管理装置を備えることを特徴とするシステムである。【００１０】また、例えば、前記広告登録手段は、会員管理装置で管理するユーザーの属性項目を選択することで広告を配信するターゲットのユーザー属性を絞りこむ手段を備えてもよい。【００１１】また、例えば、前記広告データを蓄積する広告データ蓄積装置は、広告配信装置から取得し蓄積するタイミングとして定期的に自動で蓄積する手段、及び手動にて広告配信装置に要求する手段を備える装置としてもよい。【００１２】また、例えば、広告データ蓄積装置と広告再生装置は、ひとつの装置として備えるシステムとしてもよい。【００１３】また、例えば、広告データ再生のタイミングとして携帯端末が省電力モードからアクティブモードに切り替わるタイミング以外にも再生する手段を備えてもよい。【００１４】また、例えば、ユーザが広告主のサーバにアクセスするイベントを携帯端末に記憶することにより、広告データ再生の優先順位を変更する手段を備えてもよい。これは例えば一度も広告主のサーバにアクセスされていない広告を最優先で再生することを意味する。【００１５】また、例えば、配信ターゲットのユーザー属性を絞り込むために、会員管理装置のユーザ属性以外に他の方法で取得した属性データと結びつける構成としてもよい。【００１６】また、例えば、広告配信装置は、広告主が登録する広告データに限らず懸賞やプレゼントなどの特典データを取り込み複数の広告データと共に配信できる装置としてもよい。【００１７】また、例えば、インセンティブとして付与する実体として携帯電話機の通話料金支払いへの利用や、電子商取引での利用に変換できるポイントなどとしてもよい。
【発明の効果】
【００１８】本発明によれば、通信機能を有する携帯端末に対して広告を配信する広告主は、広告の配信ターゲットのユーザー属性を絞りこむことが可能であり、また省電力モードからアクティブモードに切り替わるタイミング（例えば携帯電話機のフリップを開くタイミング）で広告が再生されるため、確実に広告を閲覧させることができ、宣伝効果を高めることができる。また広告再生装置を利用するユーザーに対して、広告主のサーバにアクセスした見返りとしてインセンティブを付与するため広告主のサーバへのアクセス率を高めることができ、また広告データを予め携帯端末に蓄積させるので広告データ再生時に通信を利用する必要がなく通信圏外などにおいても確実に広告を閲覧させることができる。また、広告再生装置にて特典データが表示されるため、広告データをユーザが注視することも期待できる。
【発明を実施するための最良の形態】
【００１９】本発明の実施形態として、図１に全体構成を示す。【００２０】図１に示すように、本実施の形態の広告配信システムは、通信機能を有する携帯端末１０と、その携帯端末１０に設置（インストール）する広告データの蓄積手段と広告を再生する広告再生手段と再生回数をメモリ上などにインクリメントする手段と広告主のサーバにアクセスした回数をインクリメントする手段を備える広告再生装置２０としてのアプリケーションと、インセンティブ付与されるため予め会員登録する手段を有しユーザー属性を管理する会員管理装置としての会員管理サーバ５０と、広告主９０が広告を登録する手段を有する広告管理装置としての広告管理サーバ６０と、広告配信装置としての広告配信サーバ３０と、広告主のサーバへのアクセス有無を判断しアクセス回数をカウント及びしてインセンティブを付与する手段の組み込まれた経由サーバ７０と、インセンティブを管理するインセンティブ管理サーバ８０と、広告主のサーバ４０で構成される。【００２１】携帯端末１０及び２０は、通信機能を有する携帯端末の代表として携帯電話機を図に示したものであり、携帯端末以外に携帯可能な端末、例えばＰＤＡ、携帯可能なＰＣ、携帯可能なゲーム機、携帯可能な音楽及び動画プレイヤーなどとしてもよい。【００２２】広告主９０が広告を登録するクライアントとなるマシンは代表として携帯可能なＰＣを図で示したものであり、通信可能な端末機などとしてもよい。【００２３】インセンティブを管理するインセンティブ管理サーバ８０は、会員管理サーバ５０に吸収する構成としてもよい。【００２４】広告を出稿する広告主９０は、広告登録手段を有する広告管理サーバ６０にアクセスし、広告を配信するターゲットユーザにメールを送信すると予想されるユーザ属性を選択し、出稿する広告データ（画像、テキストなど）を入力し登録する。【００２５】次に、図２を参照して携帯端末１０に設置される広告再生装置２０（アプリケーション）の広告データ蓄積処理を説明する。広告再生装置２０（アプリケーション）は、定期的に、例えば１週間に一度、広告配信サーバ３０に広告データ取得要求を送信する。広告配信サーバ３０は、広告再生装置２０（アプリケーション）から送出される会員ＩＤなどをキーに会員管理サーバ５０から属性を抽出し、その属性データをキーに広告管理サーバ６０から属性に見合う複数の広告データを取得する。広告配信サーバ３０から取得した複数の広告データを携帯端末１０に送信する。次に応答を受けた広告再生装置２０（アプリケーション）は、メモリー上などに広告データを蓄積（記憶）させる。【００２６】次に、図３を参照して携帯端末１０が省電力モードからアクティブモードに切り替わる際、蓄積された広告データをひとつ抽出し再生する処理について説明する。携帯端末１０が省電力モードからアクティブモードに切り替わるタイミング、例えば携帯端末１０のフリップが開くイベントを広告再生装置２０（アプリケーション）が検知し、携帯端末１０のメモリもしくは広告再生装置２０（アプリケーション）のメモリに蓄積された広告データから１つを抽出（選択）し再生する。【００２７】次に、図４を参照して蓄積された複数の広告データから１つを抽出する抽出処理について説明する。蓄積された複数の広告データのうち、広告主サーバ４０にアクセスした形跡（履歴）が存在する（カウント数が１以上）データは抽出の優先度が一番低く設定される。また広告主サーバ４０にアクセスした形跡（履歴）がメモリ上に記録されていない（カウント数が０）広告データが複数存在する場合は、抽出された回数が一番少ない広告データの抽出優先度が一番高く設定される。【００２８】次に、図５を参照して広告再生装置２０（アプリケーション）にて広告データを再生後の処理について説明する。広告データ再生後、広告データに含まれる広告主サーバ４０のアドレスまたはＵＲＬにリンクの貼られたボタン、テキスト、画像や動画などが携帯端末１０の画面上に表示される。表示完了のタイミングで広告データ再生終了とみなし再生回数をメモリ上などにインクリメントする。また、ボタン、テキスト、画像や動画のリンクをユーザーが押下したタイミングで広告主サーバ４０にアクセスしたと判断しアクセス回数をメモリ上などにインクリメントする。【００２９】次に、図６を参照して経由サーバ７０の処理について説明する。ユーザが広告再生装置２０（アプリケーション）を使用して広告データ再生後に表示されるボタン、テキスト、画像や動画などに張られたリンクを押下することにより広告主サーバ４０にアクセスする前に必ず経由サーバ７０を経由する。経由サーバ７０は、ユーザと広告主９０及び広告データを判断しインセンティブ管理サーバ８０に記録すると同時にユーザのアクセス要求を広告主サーバ４０にリダイレクトする。【００３０】次に、広告蓄積手段を備えた広告再生装置２０（アプリケーション）を利用するために、携帯端末１０を利用するユーザは会員登録する。会員登録は会員管理サーバ５０にアクセスすることで必要な属性データの入力を実施する。会員登録後、広告再生装置２０（アプリケーション）を携帯端末にダウンロードさせる方法か、予め携帯端末に広告再生装置をインストールし、初回起動時に会員登録を促す方法どちらでも可能とする。また会員登録にて取得した属性データは、会員管理サーバ５０に記録する。
【図面の簡単な説明】
【００３１】
【図１】システム全体構成図
【図２】広告データ蓄積処理シーケンス
【図３】広告データ再生処理シーケンス
【図４】再生広告データ優先順位付けフローチャート
【図５】再生回数及びアクセス回数のカウント処理フローチャート
【図６】経由サーバ処理シーケンス
【符号の説明】
【００３２】１０  通信機能を有する携帯端末２０  広告再生装置（アプリケーション）３０  広告配信サーバ４０  広告主サーバ５０  会員管理サーバ６０  広告管理サーバ７０  経由サーバ８０  インセンティブ管理サーバ９０  広告主
【図１】
2007159072.tif 000003
【図２】
2007159072.tif 000004
【図３】
2007159072.tif 000005
【図４】
2007159072.tif 000006
【図５】
2007159072.tif 000007
【図６】
2007159072.tif 000008